【手続補正書】
【提出日】平成18年5月10日(2006.5.10)
【手続補正１】
【補正対象書類名】明細書
【補正対象項目名】発明の名称
【補正方法】変更
【補正の内容】
【発明の名称】通信システム及び画像形成装置
【手続補正２】
【補正対象書類名】明細書
【補正対象項目名】特許請求の範囲
【補正方法】変更
【補正の内容】
【特許請求の範囲】
【請求項１】  システム全体を制御する主制御手段と、シリアル通信を制御する通信制御手段と、該通信制御手段との間でシリアルデータを通信する複数の子通信手段とを有する通信システムであって、
前記主制御手段のリセットを行う第一の初期化手段と、前記通信制御手段のリセットを行う第二の初期化手段とを有し、前記第一の初期化手段及び前記第二の初期化手段は、各々異なる設定条件に基づき前記リセットを行うことを特徴とする通信システム。
【請求項２】  前記第一の初期化手段は、システム電圧が第一の設定電圧よりも低い場合に前記主制御手段のリセットを行い、前記第二の初期化手段は、システム電圧が前記第一の設定電圧より低く設定された第二の設定電圧よりも低い場合に前記通信制御手段のリセットを行うことを特徴とする請求項１記載の通信システム。
【請求項３】  電源投入時には、前記第二の初期化手段は、電源電圧が前記第一の設定電圧より低く設定された前記第二の設定電圧になった場合に前記リセットを解除し、前記第一の初期化手段は、電源電圧が時間の経過に伴い前記第一の設定電圧になった場合に前記リセットを解除し、電源遮断時には、前記第一の初期化手段は、電源電圧が前記第一の設定電圧になった場合に前記リセットを行い、前記第二の初期化手段は、電源電圧が時間の経過に伴い前記第一の設定電圧より低く設定された前記第二の設定電圧になった場合に前記リセットを行うことを特徴とする請求項１又は２記載の通信システム。
【請求項４】  前記主制御手段は、前記通信制御手段に対して通信の制御及び通信データのやり取りを行うことを特徴とする請求項１記載の通信システム。
【請求項５】  前記通信制御手段と前記複数の子通信手段とは、シリアル通信ラインを介してカスケード接続されていることを特徴とする請求項１記載の通信システム。
【請求項６】  前記通信制御手段は、前記複数の子通信手段に対して所定のシリアルデータであるリセットデータを送出し前記複数の子通信手段をリセットすることを特徴とする請求項１記載の通信システム。
【請求項７】  前記通信制御手段は、リセット信号を入力するリセット端子と外部入力端子とを有し、リセット解除時及び前記外部入力端子に接続された外部からの信号入力時に前記複数の子通信手段に対して前記リセットデータを送出することを特徴とする請求項６記載の通信システム。
【請求項８】  前記第一の初期化手段は、前記通信制御手段の前記外部入力端子にリセット信号を出力し、前記第二の初期化手段は、前記通信制御手段の前記リセット端子にリセット信号を出力し、前記通信制御手段は、前記第二の初期化手段からのリセット信号解除時及び前記第一の初期化手段からのリセット信号有効時に、前記複数の子通信手段に対して前記リセットデータを送出することを特徴とする請求項１乃至７の何れかに記載の通信システム。
【請求項９】  システム全体を制御する主制御手段と、シリアル通信を制御する通信制御手段と、該通信制御手段との間でシリアルデータを通信する複数の子通信手段とを有する通信システムを備えた画像形成装置であって、
前記主制御手段のリセットを行う第一の初期化手段と、前記通信制御手段のリセットを行う第二の初期化手段とを有し、前記第一の初期化手段及び前記第二の初期化手段は、各々異なる設定条件に基づき前記リセットを行うことを特徴とする画像形成装置。
【請求項１０】  前記第一の初期化手段は、システム電圧が第一の設定電圧よりも低い場合に前記主制御手段のリセットを行い、前記第二の初期化手段は、システム電圧が前記第一の設定電圧より低く設定された第二の設定電圧よりも低い場合に前記通信制御手段のリセットを行うことを特徴とする請求項９記載の画像形成装置。
【請求項１１】  電源投入時には、前記第二の初期化手段は、電源電圧が前記第一の設定電圧より低く設定された前記第二の設定電圧になった場合に前記リセットを解除し、前記第一の初期化手段は、電源電圧が時間の経過に伴い前記第一の設定電圧になった場合に前記リセットを解除し、電源遮断時には、前記第一の初期化手段は、電源電圧が前記第一の設定電圧になった場合に前記リセットを行い、前記第二の初期化手段は、電源電圧が時間の経過に伴い前記第一の設定電圧より低く設定された前記第二の設定電圧になった場合に前記リセットを行うことを特徴とする請求項９又は１０記載の画像形成装置。
【請求項１２】  前記主制御手段は、前記通信制御手段に対して通信の制御及び通信データのやり取りを行うことを特徴とする請求項９記載の画像形成装置。
【請求項１３】  前記通信制御手段と前記複数の子通信手段とは、シリアル通信ラインを介してカスケード接続されていることを特徴とする請求項９記載の画像形成装置。
【請求項１４】  前記通信制御手段は、前記複数の子通信手段に対して所定のシリアルデータであるリセットデータを送出し前記複数の子通信手段をリセットすることを特徴とする請求項９記載の画像形成装置。
【請求項１５】  前記通信制御手段は、リセット信号を入力するリセット端子と外部入力端子とを有し、リセット解除時及び前記外部入力端子に接続された外部からの信号入力時に前記複数の子通信手段に対して前記リセットデータを送出することを特徴とする請求項１４記載の画像形成装置。
【請求項１６】  前記第一の初期化手段は、前記通信制御手段の前記外部入力端子にリセット信号を出力し、前記第二の初期化手段は、前記通信制御手段の前記リセット端子にリセット信号を出力し、前記通信制御手段は、前記第二の初期化手段からのリセット信号解除時及び前記第一の初期化手段からのリセット信号有効時に、前記複数の子通信手段に対して前記リセットデータを送出することを特徴とする請求項９乃至１５の何れかに記載の画像形成装置。
【請求項１７】  前記主制御手段及び前記通信制御手段が組み込まれた制御部と、前記複数の子通信手段が組み込まれた画像形成部とを有し、前記制御部を複数の制御ユニットから構成すると共に、該複数の制御ユニットにより前記画像形成部における画像形成の制御を行うことを特徴とする請求項９乃至１６の何れかに記載の画像形成装置。
【請求項１８】  前記画像形成部は、電子写真方式により画像形成を行うことを特徴とする請求項１７記載の画像形成装置。
【手続補正３】
【補正対象書類名】明細書
【補正対象項目名】０００１
【補正方法】変更
【補正の内容】
【０００１】
【発明の属する技術分野】
本発明は、通信システム及び画像形成装置に係り、更に詳しくは、通信制御手段と複数の子通信手段との間でデータのシリアル伝送を行うデータ伝送システムにおいて、リセット信号線を介してリセット信号を送信することなく、通信制御手段に接続される複数の子通信手段を確実にリセットする場合に好適な通信システム及び画像形成装置に関する。
【手続補正４】
【補正対象書類名】明細書
【補正対象項目名】００２１
【補正方法】変更
【補正の内容】
【００２１】
本発明は、上述した点に鑑みなされたものであり、専用のリセット信号線を設けてリセット信号を送出することなく子通信ＩＣをリセットすることができ、且つ、異常時及び電源遮断時に子通信ＩＣに対して通信リセット信号を正常に送出して子通信ＩＣをリセットすることができる通信システム及び画像形成装置を提供することを目的とする。
【手続補正５】
【補正対象書類名】明細書
【補正対象項目名】００４０
【補正方法】削除
【補正の内容】
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】削除
【補正の内容】
【手続補正８】
【補正対象書類名】明細書
【補正対象項目名】００４３
【補正方法】削除
【補正の内容】
【手続補正９】
【補正対象書類名】明細書
【補正対象項目名】００４４
【補正方法】削除
【補正の内容】
【手続補正１０】
【補正対象書類名】明細書
【補正対象項目名】００４５
【補正方法】削除
【補正の内容】
【手続補正１１】
【補正対象書類名】明細書
【補正対象項目名】００４６
【補正方法】削除
【補正の内容】
【手続補正１２】
【補正対象書類名】明細書
【補正対象項目名】００４７
【補正方法】削除
【補正の内容】
【手続補正１３】
【補正対象書類名】明細書
【補正対象項目名】００４８
【補正方法】削除
【補正の内容】
【手続補正１４】
【補正対象書類名】明細書
【補正対象項目名】００８４
【補正方法】削除
【補正の内容】
【手続補正１５】
【補正対象書類名】明細書
【補正対象項目名】００８５
【補正方法】削除
【補正の内容】